(57)【要約】【課題】  誤った情報を含む医用画像情報の流出を防ぐことができる医用画像情報管理システムを提供する。【解決手段】  画像診断装置１０１より検査が行われる被検体Ｐの被検体情報が記憶された記憶媒体１００から被検体情報をリーダ部１で読み取り、この読み取った被検体情報に基づき、画像診断装置１０１が設置された検査室への入室時刻を記録した入室履歴データを入室履歴作成部３１で作成し、画像診断装置１０１による被検体Ｐの検査の際の検査時刻を含む医用画像情報と入室履歴データとを照合して誤情報の存否を判定する。【選択図】  図１
2007143644.tif 000002
【特許請求の範囲】
【請求項１】
画像診断装置により検査が行われる被検体の被検体情報が記憶された記憶媒体から前記被検体情報を読み取り手段で読み取り、
この読み取った前記被検体情報に基づき、前記画像診断装置が設置された検査室への入室時刻を記録した入室履歴データを入室履歴作成手段により作成し、
前記画像診断装置による前記被検体の検査の際の検査時刻を含む医用画像情報と前記入室履歴データとを照合して誤情報の存否を判定手段により判定するようにしたことを特徴とする医用画像情報管理システム。
【請求項２】
前記医用画像情報は前記被検体の画像データ及び前記被検体情報を含む検査情報を有し、
前記入室履歴データの入室時刻が前記医用画像情報における検査情報の検査時刻よりも前で、且つ前記医用画像情報における検査情報の前記被検体情報と同じ被検体情報を含んでいるとき、前記医用画像情報には誤情報が存在しないと前記判定手段により判定するようにしたことを特徴とする請求項１に記載の医用画像情報管理システム。
【請求項３】
前記医用画像情報を出力手段により出力し、
前記誤情報が存在すると前記判定手段により判定したとき、この誤情報を前記出力手段に出力するようにしたことを特徴とする請求項１に記載の医用画像情報管理システム。
【請求項４】
前記医用画像情報を保存する画像情報保管手段を有し、
前記医用画像情報には誤情報が存在しないと前記判定手段により判定したとき、前記医用画像情報を前記画像情報保管手段に保存するようにしたことを特徴とする請求項２に記載の医用画像情報管理システム。
【請求項５】
前記医用画像情報を保存する画像情報保管手段及び前記誤情報を訂正するための入力手段を有し、
前記誤情報が存在すると前記判定手段により判定したとき、前記入力手段により前記誤情報を訂正した前記医用画像情報を前記画像情報保管手段に保存するようにしたことを特徴とする請求項２に記載の医用画像情報管理システム。
【請求項６】
前記医用画像情報が保留される画像情報保留手段及び前記誤情報を訂正するための入力手段を有し、
前記誤情報が存在すると前記判定手段により判定したとき、前記入力手段による前記誤情報の訂正がなされるまで前記医用画像情報を前記画像情報保留手段に保留するようにしたことを特徴とする請求項２に記載の医用画像情報管理システム。
【発明の詳細な説明】
【技術分野】
【０００１】
本発明は、画像診断装置から得られた医用画像情報に含まれる誤情報を検出する医用画像情報管理システムに関する。
【背景技術】
【０００２】
Ｘ線診断装置、Ｘ線ＣＴ装置、ＭＲＩ装置、超音波診断装置、ＰＥＴ装置等の画像診断を行う画像診断装置においては、この画像診断装置の検査による被検体の撮影から得られた画像データは、被検体名、被検体のＩＤ等の被検体を特定する被検体情報や、検査時刻、装置情報、検査毎に付与される検査ＩＤなどの検査情報も含む医用画像情報として、長期保存が可能な画像情報保管装置に保存される。
【０００３】
そして、画像情報保管装置に保存された医用画像情報の検査情報を検索して、必要とする被検体の画像データを表示装置に表示させて画像診断が行われる。
【０００４】
しかしながら、医用画像情報に含まれる被検体情報などの検査情報は、画像診断装置の操作部から人手を介して入力されるため、誤って入力される恐れがある。このような問題を避けるために、画像診断装置と画像情報保管装置の間に医用画像情報管理システムを設けて、医用画像情報の検査情報に含まれる例えば１つしか存在しないはずの検査ＩＤが２つの医用画像情報から検出された時に、それらの医用画像情報の画像情報保管装置への保管を一旦阻止することが行われている。
【発明の開示】
【発明が解決しようとする課題】
【０００５】
しかしながら、画像診断装置で例えば被検体情報が誤入力され、しかもその被検体情報が他に存在しない場合、従来の医用画像情報管理システムではその誤情報を検出することができない問題がある。
【０００６】
本発明は、上記問題点を解決するためになされたもので、誤った情報を含む医用画像情報の流出を防ぐことができる医用画像情報管理システムを提供することを目的とする。
【課題を解決するための手段】
【０００７】
上記目的を達成するために、請求項１に係る本発明の医用画像情報管理システムは、画像診断装置により検査が行われる被検体の被検体情報が記憶された記憶媒体から前記被検体情報を読み取り手段で読み取り、この読み取った前記被検体情報に基づき、前記画像診断装置が設置された検査室への入室時刻を記録した入室履歴データを入室履歴作成手段により作成し、前記画像診断装置による前記被検体の検査の際の検査時刻を含む医用画像情報と前記入室履歴データとを照合して誤情報の存否を判定手段により判定するようにしたことを特徴とする。
【発明の効果】
【０００８】
本発明によれば、画像診断装置から得られた医用画像情報に誤情報が含まれている時に、その誤情報を検出することができるので、画像診断による誤診を防ぐことができる。
【発明を実施するための最良の形態】
【０００９】
本発明の実施例を説明する。
【実施例】
【００１０】
以下に、本発明による医用画像情報管理システムの実施例を、図１乃至図４を参照して説明する。
図１は、本発明の実施例に係る医用画像情報管理システムの構成を示したブロック図である。この医用画像情報管理システム１０は、被検体Ｐの被検体情報を読み取るリーダ部１と、Ｘ線診断装置、Ｘ線ＣＴ装置、ＭＲＩ装置、超音波診断装置、ＰＥＴ装置等の画像診断装置１０１からの医用画像情報を保存する画像情報記憶部２と、画像情報記憶部２に保存された医用画像情報を照合する画像情報照合部３と、画像情報照合部３からの医用画像情報を保存する画像情報保管部４とを備えている。
【００１１】
また、医用画像情報管理システム１０は、画像情報照合部３からの医用画像情報などが表示される表示部５と、各種コマンドの入力を行う操作部６と、リーダ部１、画像情報記憶部２、画像情報照合部３、画像情報保管部４、表示部５などの各ユニットを統括して制御するシステム制御部７とを備えている。
【００１２】
記憶媒体１００は、被検体Ｐの被検体ＩＤ、氏名、生年月日などの被検体情報が記憶されたＩＣチップ、ＩＣタグ、バーコード、磁気テープなどからなり、受診者である被検体Ｐが所持する例えば受診カードに装着されている。
【００１３】
リーダ部１は、画像診断装置１０１の各画像診断装置１０１ａ１乃至１０１ａＮに対応した各リーダ１１ａ１乃至６１ａＮを備えている。そして、各画像診断装置１０１ａ１乃至１０１ａＮが設置された各検査室に、被検体Ｐが検査のために入室する時に、記憶媒体１００から被検体情報を読み取って画像情報照合部３に出力する。
【００１４】
画像情報記憶部２では、画像診断装置１０１による検査で撮影された被検体Ｐの画像データに、被検体Ｐの被検体情報、画像診断装置１０１の装置ＩＤ、画像診断装置１０１による例えば検査開始の時刻（検査時刻）、撮影条件などから構成される検査情報が付加された医用画像情報が保存される。
【００１５】
なお、医用画像情報管理システム１０は、画像診断装置１０１と図示しないネットワークで接続され、画像診断装置１０１で得られた医用画像情報を、前記ネットワークを介して受信して、画像情報記憶部２に保存されるようになっている。
【００１６】
画像情報照合部３は、リーダ部１からの被検体情報に基づいて、被検体Ｐが検査を行うための検査室への入室の入室履歴データを作成する入室履歴作成部３１と、この入室履歴作成部３１で作成された入室履歴データと照合して画像診断装置１０１から得られた医用画像情報に誤情報が含まれているか否かを判定する判定部３３と、判定部３３により誤情報が含まれていると判定された時に、画像診断装置１０１からの医用画像情報を保留するための画像情報保留部３４とを備えている。
【００１７】
入室履歴作成部３１は、リーダ部１からの被検体情報に基づいて、この被検体情報と、この被検体情報を読み取った各リーダ１１ａ１乃至１１ａＮに対応する各画像診断装置１０１ａ１乃至１０１ａＮの装置ＩＤと、各リーダ１１ａ１乃至１１ａＮから被検体情報を受信した時刻である入室時刻の情報とから構成される入室履歴データを作成して入室履歴記憶部３２に保存する。なお、画像診断装置１０１では、入室履歴作成部３１で作成された１つの入室履歴データに応じて画像診断装置１０１で１つ又は複数の検査が行われ、その検査数に応じた医用画像情報が生成され出力される。
【００１８】
入室履歴記憶部３２には、リーダ部１からの被検体情報に基づいて入室履歴作成部３１で作成された被検体Ｐの様々な入室履歴データが保存される。
【００１９】
判定部３３は、画像情報記憶部２及び入室履歴記憶部３２から装置ＩＤ毎に医用画像情報の検査情報及び入室履歴データを読み出す。そして、読み出した検査情報を入室履歴データと照合して、画像診断装置１０１からの医用画像情報の検査情報に誤情報が含まれているか否かを判定する。医用画像情報の検査情報に誤情報が含まれていると判定した時に、その医用画像情報を一旦画像情報保留部３４に保留する。
【００２０】
画像情報保管部４は、光磁気ディスク、磁気ディスクなどの不揮発性メモリデバイスを有し、画像情報照合部３の判定部３３で画像診断装置１０１からの医用画像情報に誤情報が含まれていないと判定された時に、その医用画像情報を長期保存するために設けられている。そして、画像情報保管部４に保存された医用画像情報の画像データは、画像診断に用いられる。なお、判別部７で誤情報が含まれていないと判定された医用画像情報を、例えばネットワークを用いて接続した長期保存が可能な外部記憶装置に保存するようにしてもよい。
【００２１】
表示部５は、画像情報保留部３４に保留されている医用画像情報、画像情報保管部４に保存されている医用画像情報、入室履歴記憶部３２に保存されている入室履歴データなどの表示を行うものであり、液晶パネル或いはＣＲＴのモニタ等を備えている。なお、医用画像情報管理システム１０と、ネットワークで接続されたワークステーションを設け、画像情報保管部４に保存された医用画像情報をそのワークステーションの表示部に出力するようにしてもよい。
【００２２】
操作部６は、図示しないキーボード、トラックボール、マウスなどの入力デバイスや各種スイッチ等を備えたインターラクティブなインターフェースであり、医用画像情報の誤情報の訂正の入力や、各種コマンドの入力などが行われる。
【００２３】
システム制御部７は、図示しないＣＰＵと記憶回路等を備え、操作部６から入力される入力コマンド信号などの入力情報を一旦記憶した後、これらの情報に基づいて、リーダ部１、画像情報記憶部２、画像情報称号部３、画像情報保管部４、表示部５等の制御などシステム全体の制御を行う。
【００２４】
次に、図１乃至図４を参照して、医用画像情報管理システム１０の動作を説明する。図２は、画像診断装置１０１からの医用画像情報を照合する医用画像情報管理システム１０の動作を示したフローチャートである。
【００２５】
例えば、３人の被検体Ｐ（Ｐａ乃至Ｐｃ）の検査が２００５年６月５日に画像診断装置１０１の画像診断装置１０１ａ１を用いて行われる。
【００２６】
被検体Ｐの記憶媒体１００を画像診断装置１０１ａ１に対応するリーダ部１のリーダ１１ａ１に読み取らせることにより、医用画像情報管理システム１０は動作を開始する（ステップＳ１）。
【００２７】
被検体Ｐの記憶媒体１００の読み取り操作が行われると、リーダ１１ａ１は、記憶媒体１００から被検体Ｐの被検体情報を読み取って、画像情報照合部３の入室履歴作成部３１に出力する（ステップＳ２）。
【００２８】
入室履歴作成部３１は、リーダ１１ａ１からの被検体Ｐの被検体情報に基づいて、この被検体情報の例えば被検体ＩＤと、この被検体情報を受信した時の入室時刻の情報と、画像診断装置１０１ａ１の例えば装置ＩＤ「１０５」とから構成される入室履歴データを作成して入室履歴記憶部３２に保存する（ステップＳ３）。
【００２９】
次に、被検体Ｐの検査のために画像診断装置１０１ａ１の操作部から操作者等の人手が介在した被検体Ｐの被検体情報、撮影条件などの入力操作が行われた後、被検体Ｐの撮影が行われる。検査終了後、撮影によって得られた画像データに、装置ＩＤ「１０５」、検査時刻、被検体Ｐの被検体ＩＤ、撮影条件などの検査情報が付加された医用画像情報が医用情報管理システム１０に出力される。
【００３０】
画像診断装置１０１ａ１から受信した被検体Ｐの医用画像情報は、画像情報記憶部２に保存される。
【００３１】
次に、操作部６から装置ＩＤ「１０５」及び例えば時刻範囲を設定して選択された被検体Ｐａ乃至Ｐｃの判定操作が行われると、判定部３３は、入室履歴記憶部３２から被検体Ｐａ乃至Ｐｃの検査に対応した装置ＩＤ「１０５」を有する入室履歴データを読み出し、画像情報記憶部２から被検体Ｐａ乃至Ｐｃの検査に対応した装置ＩＤ「１０５」を有する医用画像情報の検査情報を読み出す。そして、読み出した検査情報を入室履歴データと照合して、検査情報に誤情報が含まれているか否かを判定する。（ステップＳ４）。
【００３２】
医用画像情報の検査情報に誤情報が含まれていないと判定された場合（ステップＳ５のいいえ）、ステップＳ８に移行する。
【００３３】
図３は、ステップＳ４において判定部３３で読み出された入室履歴データ及び検査情報の一例を示した図である。
【００３４】
この入室履歴データ８１は、被検体Ｐａ乃至Ｐｃの検査に基づいて作成された装置ＩＤ「１０５」を有する入室履歴データ８１ａ乃至８１ｃから構成される。また、入室履歴データ８１に応じて作成された検査情報９１は、装置ＩＤ「１０５」を有する検査情報９１ａ乃至９１ｄから構成される。そして、入室履歴データ８１ａ乃至８１ｃは上から入室時刻の古い順に配列され、検査情報９１ａ乃至９１ｄは上から画像診断装置１０１ａ１から受信した順に配列されている。
【００３５】
判定部３３では、各検査情報９１ａ乃至９１ｄの検査時刻及び被検体ＩＤを、各入室履歴データ８１ａ乃至８１ｃの入室時刻及び被検体ＩＤと照合して判定される。
【００３６】
そして、検査情報９１に誤情報が含まれていないと判定される判定条件は、「各検査情報の検査時刻が、対応する各入室履歴データの入室時刻よりも後であること」、「各検査情報の被検体ＩＤが、対応する各入室履歴データの被検体ＩＤと同じであること」、及び「各検査情報が、全ての入室履歴データに対応していること」である。
【００３７】
最初に、判定条件の「各検査情報の検査時刻が、対応する各入室履歴データの入室時刻よりも後であること」及び「各検査情報の被検体ＩＤが、対応する各入室履歴データの被検体ＩＤと同じであること」に従って検査情報９１ａ乃至９１ｄが判定される。
【００３８】
検査情報９１ａの検査時刻は「２００５年６月５日９時４５分」であり、この時刻よりも前の入室時刻を有する入室履歴データは、「２００５年６月５日９時１０分」の情報を有する入室履歴データ８１ａだけである。この入室履歴データ８１ａは、検査情報９１ａの被検体ＩＤと同じ「１４２９８４」を有しているので、検査情報９１ａは入室履歴データ８１ａに対応しているとみなされる。
【００３９】
検査情報９１ｂの検査時刻「２００５年６月５日１０時４７分」よりも前の入室時刻を有する入室履歴データは、入室履歴データ８１ａ乃至８１ｃであり、検査情報９１ｂの被検体ＩＤと同じ「１３２０９２」を有しているのは入室履歴データ８１ｂである。従って、検査情報９１ｂは、入室履歴データ８１ｂに対応しているとみなされる。
【００４０】
検査情報９１ｃの検査時刻「２００５年６月５日１１時１５分」よりも前の入室時刻の情報を有する入室履歴データは、入室履歴データ８１ａ乃至８１ｃである。しかしながら、入室履歴データ８１ａ乃至８１ｃの中には、検査情報９１ｃの被検体ＩＤと同じ「１２３４５６」を有する入室履歴データがない。従って、検査情報９１ｃの被検体ＩＤは、誤情報であると判定される。
【００４１】
検査情報９１ｄの被検体ＩＤも検査情報９１ｃと同様にして、検査情報９１ｄの被検体ＩＤ「１２３４５６」は、誤情報であると判定される。
【００４２】
このように、検査情報９１に誤情報が含まれていると判定された場合（図２のステップＳ５のはい）、判定部３３は、検査情報９１の医用画像情報を画像情報保留部３４に保留する（図２のステップＳ６）。次いで、「検査情報９１ｃ及び９１ｄの被検体ＩＤは誤っているので訂正してください」などのコメントと共に、例えば誤情報の被検体ＩＤを強調した検査情報９１ｃ及び９１ｄを表示部５に表示する（図２のステップＳ７）。
【００４３】
表示部５に表示されたコメント及び検査情報を見た医用画像情報管理システム１０の操作者は、画像診断装置１０１ａ１の操作者に確認して、操作部６から検査情報の誤情報の部分を訂正するための入力操作を行う。
【００４４】
そして、操作部６から検査情報９１ｃ及び９１ｄの被検体ＩＤに対して例えば「１２３４５７」への訂正入力操作が行われると、判定部３３は、画像情報記憶部２及び画像情報保留部３４に保留されている検査情報９１を有する医用画像情報の検査情報９１ｃ及び９１ｄの誤情報の部分をシステム制御部７からの訂正の入力情報に置き換える。これにより、判定部３３は、検査情報９１は全ての判定条件に適合することになるので誤情報が含まれていないと判定して、画像情報保留部３４の訂正された検査情報９１を有する医用画像情報を画像情報保管部４に移動して保存する（図２のステップＳ８）。
【００４５】
この場合、画像診断装置１０１ａ１で被検体Ｐａ，Ｐｂ，Ｐｃの順で検査が行われたとすると、入室履歴データ８１ｃが被検体Ｐｃに該当する。そして、被検体Ｐｃの検査が２回行われ、１回目の検査の検査情報９１ｃの入力操作の時に、被検体ＩＤを誤って入力したことになる。また、検査情報９１ｄの入力操作では、検査情報９１ｃを利用したので同様の誤りが生じたことになる。
【００４６】
訂正した医用画像情報を画像情報保管部４に保存した後、医用画像情報管理システム１０は、動作を終了する（ステップＳ９）。
【００４７】
その後、被検体Ｐの画像診断を行う医師などにより画像情報保管部４から被検体Ｐの画像データを読み出して表示部５に表示して、その画像データの読影が行われる。
【００４８】
図４は、ステップＳ４において判定部３３で読み出された入室履歴データ及び検査情報の他の例を示した図である。
【００４９】
この入室履歴データ８２は、被検体Ｐａ乃至Ｐｃの検査に基づいて作成された装置ＩＤ「１０５」を有する入室履歴データ８２ａ乃至８２ｃから構成される。また、入室履歴データ８２に応じて作成された検査情報９２は、装置ＩＤ「１０５」を有する検査情報９２ａ乃至９２ｃから構成される。そして、入室履歴データ８２ａ乃至８２ｃは上から入室時刻の古い順に配列され、検査情報９２ａ乃至９２ｃは上から画像診断装置１０１ａ１から受信した順に配列されている。
【００５０】
判定部３３では、まず判定条件の「各検査情報の検査時刻が、対応する各入室履歴データの入室時刻よりも後であること」及び「各検査情報の被検体ＩＤが、対応する各入室履歴データの被検体ＩＤと同じであること」に従って検査情報９２ａ乃至９２ｃの判定が行行われる。
【００５１】
検査情報９２ａの検査時刻は「２００５年６月５日９時５０分」であり、この時刻よりも前の入室時刻を有する入室履歴データは、「２００５年６月５日９時５分」の情報を有する入室履歴データ８２ａだけである。この入室履歴データ８２ａは、検査情報９２ａの被検体ＩＤと同じ「１２３４５６」を有しているので、検査情報９２ａは入室履歴データ８２ａに対応しているとみなされる。
【００５２】
検査情報９２ｂの検査時刻「２００５年６月５日１１時１５分」よりも前の入室時刻を有する入室履歴データは、入室履歴データ８２ａ乃至８２ｃであり、検査情報９２ｂの被検体ＩＤと同じ「１２３４５６」を有しているのは入室履歴データ８２ａだけである。従って、検査情報９２ｂは、入室履歴データ８２ａに対応しているとみなされる。
【００５３】
検査情報９２ｃの検査時刻は「２００５年６月５日１１時３４分」であり、この時刻よりも前の入室時刻を有する入室履歴データは、入室履歴データ８２ａ乃至８２ｃであり、検査情報９２ｃの被検体ＩＤと同じ「１５３７４２」を有しているのは入室履歴データ８２ｃだけである。従って、検査情報９２ｃは、入室履歴データ８２ｃに対応しているとみなされる。
【００５４】
しかしながら、各検査情報９２ａ乃至９２ｃは、入室履歴データ８２ｂには対応していないので、判定条件の「各検査情報が、全ての入室履歴データに対応していること」に適合していない。各入室履歴データ８２ａ乃至８２ｃ及び各検査情報９２ａ及び９２ｃは、夫々上から順に時系列的に配列され、夫々同じ数の情報であることから、入室履歴データ８２ｂに対応しない検査情報９２ｂの被検体ＩＤ「１２３４５６」が誤情報であると判定される。
【００５５】
この場合、画像診断装置１０１ａ１で被検体Ｐａの検査情報９２ａを利用して被検体Ｐｂの検査情報９２ｂを入力して、検査情報９２ａの被検体ＩＤ「１２３４５６」を「１３２０９３」に変更入力するのを忘れて誤りが生じたことになる。
【００５６】
以上述べた本発明の実施例によれば、被検体Ｐの被検体情報に基づいて作成された入室履歴データと、画像診断装置１０１から得られた被検体Ｐの医用画像情報の検査情報とを照合して、その医用画像情報の検査情報に誤情報が含まれていると判定されたときに、その医用画像情報を画像情報保留部３４に保留して誤情報を表示部５に表示し、画像診断装置１０１からの医用画像情報の検査情報に誤情報が含まれていないと判定されたときに、その医用画像情報を画像情報保管部４に保存することができる。
【００５７】
また、操作部６から誤情報が訂正された時に、訂正された医用画像情報を画像情報保管部４に保存することができる。
【００５８】
これにより、画像情報保管部４からの医用画像情報を用いての画像診断による誤診を防ぐことができる。
【図面の簡単な説明】
【００５９】
【図１】本発明の実施例による医用画像情報管理システムの構成を示すブロック図。
【図２】本発明の実施例に係る医用画像情報管理システムの動作を示すフローチャート。
【図３】本発明の実施例に係る入室履歴データ及び検査情報の一例を示す図。
【図４】本発明の実施例に係る入室履歴データ及び検査情報の他の例を示す図。
【符号の説明】
【００６０】
Ｐ  被検体
１  リーダ部
２  画像情報記憶部
３  画像情報照合部
４  画像情報保管部
５  表示部
６  操作部
７  システム制御部
１０  医用画像情報管理システム
１１ａ１乃至１１ａＮ  リーダ
３１  入室履歴作成部
３２  入室履歴記憶部
３３  判定部
３４  画像情報保留部
１００  記憶媒体
１０１、１０１ａ１乃至１０１ａＮ  画像診断装置
【図１】
2007143644.tif 000003
【図２】
2007143644.tif 000004
【図３】
2007143644.tif 000005
【図４】
2007143644.tif 000006